(57)【要約】
【課題】　遊技媒体による衝撃音を抑制できると共に印刷物を透視でき、さらに印刷物の内容を容易に変更できる安価・簡易な構造の遊技媒体収容部構造、及びこれに用いられる消音シート具を提供する。
【解決手段】　本構造１は、遊技媒体（パチンコ玉）を収容する収容部の底面上に敷設されるシート状の印刷物４と、この印刷物の上面に敷設され且つ遊技媒体による衝撃音を抑制する消音シート具５と、を備え、この消音シート具を介して印刷物を透視可能である。
【選択図】　図２
0003099328.tif 000002
【実用新案登録請求の範囲】
【請求項１】
遊技媒体を収容する収容部と、該収容部の底面上に敷設されるシート状の印刷物と、該印刷物の上面に敷設され且つ前記遊技媒体による衝撃音を抑制する透明な消音シート具と、を備えることを特徴とする遊技媒体収容部構造。
【請求項２】
前記消音シート具が、前記遊技媒体による衝撃音を抑制する透明な弾性シートを有し、該弾性シートには前記印刷物と接触する表面に、該印刷物の写りこみを抑制する転写抑制部が設けられている請求項１記載の遊技媒体収容部構造。
【請求項３】
前記転写抑制部がシボ加工部よりなる請求項２記載の遊技媒体収容部構造。
【請求項４】
前記転写抑制部が透明なＵＶ硬化層よりなる請求項２又は３に記載の遊技媒体収容部構造。
【請求項５】
前記弾性シートが軟質樹脂材料よりなる請求項２乃至４のいずれか一項に記載の遊技媒体収容部構造。
【請求項６】
前記軟質樹脂材料には、透明な導電性材料が含有されている請求項５記載の遊技媒体収容部構造。
【請求項７】
前記軟質樹脂材料が軟質塩化ビニールである請求項５又は６に記載の遊技媒体収容部構造。
【請求項８】
前記弾性シートには、前記収容部に形成されたアース孔に対応して切欠き部が形成されている請求項２乃至７のいずれか一項に記載の遊技媒体収容部構造。
【請求項９】
前記消音シート具が、前記印刷物の上面に敷設され且つ前記印刷物の写りこみを抑制する透明な転写抑制シートと、該転写抑制シートの上面に敷設され且つ前記遊技媒体による衝撃音を抑制する透明な弾性シートと、を有する請求項１記載の遊技媒体収容部構造。
【請求項１０】
前記転写抑制シートが硬質樹脂材料よりなると共に、前記弾性シートが軟質樹脂材料よりなる請求項９記載の遊技媒体収容部構造。
【請求項１１】
前記軟質樹脂材料には、透明な導電性材料が含有されている請求項１０記載の遊技媒体収容部構造。
【請求項１２】
前記硬質樹脂材料が硬質塩化ビニールであると共に、前記軟質樹脂材料が軟質塩化ビニールである請求項１０又は１１に記載の遊技媒体収容部構造。
【請求項１３】
前記弾性シート及び前記転写抑制シートには、前記収容部に形成されたアース孔に対応して切欠き部が形成されている請求項９乃至１２のいずれか一項に記載の遊技媒体収容部構造。
【請求項１４】
前記収容部が、収容容器により構成される請求項１乃至１３のいずれか一項に記載の遊技媒体収容部構造。
【請求項１５】
前記収容部が、遊技機の受け皿により構成される請求項１乃至１３のいずれか一項に記載の遊技媒体収容部構造。
【請求項１６】
前記遊技媒体が、パチンコ玉及び／又はスロットコインである請求項１乃至１５のいずれか一項に記載の遊技媒体収容部構造。
【請求項１７】
遊技媒体を収容する収容部の底面上に敷設されるシート状の印刷物の上面に敷設され且つ前記遊技媒体による衝撃音を抑制する透明な消音シート具であって、
　前記消音シート具が、前記遊技媒体による衝撃音を抑制する透明な弾性シートを有し、該弾性シートには前記印刷物と接触する表面に、該印刷物の写りこみを抑制する転写抑制部が設けられていることを特徴とする消音シート具。
【請求項１８】
前記転写抑制部がシボ加工部及び／又は透明なＵＶ硬化層よりなると共に、前記弾性シートが軟質樹脂材料よりなる請求項１７記載の消音シート具。
【請求項１９】
遊技媒体を収容する収容部の底面上に敷設されるシート状の印刷物の上面に敷設され且つ前記遊技媒体による衝撃音を抑制する透明な消音シート具であって、
　前記消音シート具が、前記印刷物の上面に敷設され且つ前記印刷物の写りこみを抑制する透明な転写抑制シートと、該転写抑制シートの上面に敷設され且つ前記遊技媒体による衝撃音を抑制する透明な弾性シートと、を有することを特徴とする消音シート具。
【請求項２０】
前記転写抑制シートが硬質樹脂材料よりなると共に、前記弾性シートが軟質樹脂材料よりなる請求項１９記載の消音シート具。
【考案の詳細な説明】
【技術分野】
【０００１】
　本考案は、遊技媒体収容部構造及び消音シート具に関し、さらに詳しくは、遊技媒体による衝撃音を抑制できると共に印刷物を透視でき、さらに印刷物の内容を容易に変更できる安価・簡易な構造の遊技媒体収容部構造及び消音シート具に関する。
　本考案は、特に、パチンコ玉、スロットコイン等の遊技媒体による衝撃音を抑制する技術として有効に利用される。
【背景技術】
【０００２】
　従来より、パチンコ玉の収容容器の底面上に、パチンコ玉の落下による衝撃音を緩和する弾性シートを敷設する構造が知られている（例えば、特許文献１及び２参照。）。
　例えば、特許文献１には、弾性シートに広告情報等を印刷して、遊技客がその印刷物を見て有益な情報を得られることが開示されている。また、例えば、特許文献２には、透明な弾性シートを有し、この透明な弾性シートを介して、収容容器の底面に印刷された印刷物を保護透視することが開示されている。
【０００３】
　しかし、特許文献１及び２では、印刷物の内容を変更したい場合には、その変更内容を印刷した新たな弾性シートや収容容器を用意する必要があり、経済的ではない。
　また、特許文献２では、収容容器への弾性シートの敷設状態が長引くと、その弾性シートに、印刷物の写りこみ（転写）が生じて表面が汚れてしまう場合があり、印刷物を透視しにくくなったり、その弾性シートを清掃する必要があったりした。特に、弾性シートとして、安価な軟質樹脂材料（特に、軟質塩化ビニール）を使用した場合、その弾性シートへの印刷物の転写が生じ易い。
【０００４】
　尚、遊技機（例えば、パチンコ、スロット遊技機等）において、機械内部から払い出される遊技媒体を収容する受け皿に消音シート具を用いることの要望があり、この場合であっても、上述と同様にして、印刷物が容易に交換できない、印刷物の転写等の問題があった。
【０００５】
【特許文献１】実登録３０７４２７７号公報
【特許文献２】特開２００１−２５２４５９号公報（｛００２６｝参照。）
【考案の開示】
【考案が解決しようとする課題】
【０００６】
　以上より、本考案は、上記実情に鑑みてなされたものであり、遊技媒体による衝撃音を抑制できると共に印刷物を透視でき、さらに印刷物の内容を容易に変更できる安価・簡易な構造の遊技媒体収容部構造及び消音シート具を提供することを目的とする。
　また、本考案は、上記目的に加えて、消音シート具への印刷物の転写を抑制できる遊技媒体収容部構造及び消音シート具を提供することを他の目的とする。
【課題を解決するための手段】
【０００７】
　本考案は、以下の通りである。
　１．遊技媒体を収容する収容部と、該収容部の底面上に敷設されるシート状の印刷物と、該印刷物の上面に敷設され且つ前記遊技媒体による衝撃音を抑制する透明な消音シート具と、を備えることを特徴とする遊技媒体収容部構造。
　２．前記消音シート具が、前記遊技媒体による衝撃音を抑制する透明な弾性シートを有し、該弾性シートには前記印刷物と接触する表面に、該印刷物の写りこみを抑制する転写抑制部が設けられている上記１．記載の遊技媒体収容部構造。
　３．前記転写抑制部がシボ加工部よりなる上記２．記載の遊技媒体収容部構造。
　４．前記転写抑制部が透明なＵＶ硬化層よりなる上記２．又は３．に記載の遊技媒体収容部構造。
　５．前記弾性シートが軟質樹脂材料よりなる上記２．乃至４．のいずれか一項に記載の遊技媒体収容部構造。
　６．前記軟質樹脂材料には、透明な導電性材料が含有されている上記５．記載の遊技媒体収容部構造。
　７．前記軟質樹脂材料が軟質塩化ビニールである上記５．又は６．に記載の遊技媒体収容部構造。
　８．前記弾性シートには、前記収容部に形成されたアース孔に対応して切欠き部が形成されている上記２．乃至７．のいずれか一項に記載の遊技媒体収容部構造。
　９．前記消音シート具が、前記印刷物の上面に敷設され且つ前記印刷物の写りこみを抑制する透明な転写抑制シートと、該転写抑制シートの上面に敷設され且つ前記遊技媒体による衝撃音を抑制する透明な弾性シートと、を有する上記１．記載の遊技媒体収容部構造。
　１０．前記転写抑制シートが硬質樹脂材料よりなると共に、前記弾性シートが軟質樹脂材料よりなる上記９．記載の遊技媒体収容部構造。
　１１．前記軟質樹脂材料には、透明な導電性材料が含有されている上記１０．記載の遊技媒体収容部構造。
　１２．前記硬質樹脂材料が硬質塩化ビニールであると共に、前記軟質樹脂材料が軟質塩化ビニールである上記１０．又は１１．に記載の遊技媒体収容部構造。
　１３．前記弾性シート及び前記転写抑制シートには、前記収容部に形成されたアース孔に対応して切欠き部が形成されている上記９．乃至１２．のいずれか一項に記載の遊技媒体収容部構造。
　１４．前記収容部が、収容容器により構成される上記１．乃至１３．のいずれか一項に記載の遊技媒体収容部構造。
　１５．前記収容部が、遊技機の受け皿により構成される上記１．乃至１３．のいずれか一項に記載の遊技媒体収容部構造。
　１６．前記遊技媒体が、パチンコ玉及び／又はスロットコインである上記１．乃至１５．のいずれか一項に記載の遊技媒体収容部構造。
　１７．遊技媒体を収容する収容部の底面上に敷設されるシート状の印刷物の上面に敷設され且つ前記遊技媒体による衝撃音を抑制する透明な消音シート具であって、
　前記消音シート具が、前記遊技媒体による衝撃音を抑制する透明な弾性シートを有し、該弾性シートには前記印刷物と接触する表面に、該印刷物の写りこみを抑制する転写抑制部が設けられていることを特徴とする消音シート具。
　１８．前記転写抑制部がシボ加工部及び／又は透明なＵＶ硬化層よりなると共に、前記弾性シートが軟質樹脂材料よりなる上記１７．記載の消音シート具。
　１９．遊技媒体を収容する収容部の底面上に敷設されるシート状の印刷物の上面に敷設され且つ前記遊技媒体による衝撃音を抑制する透明な消音シート具であって、
　前記消音シート具が、前記印刷物の上面に敷設され且つ前記印刷物の写りこみを抑制する透明な転写抑制シートと、該転写抑制シートの上面に敷設され且つ前記遊技媒体による衝撃音を抑制する透明な弾性シートと、を有することを特徴とする消音シート具。
　２０．前記転写抑制シートが硬質樹脂材料よりなると共に、前記弾性シートが軟質樹脂材料よりなる上記１９．記載の消音シート具。
【考案の効果】
【０００８】
　本考案の遊技媒体収納部構造によると、消音シート具によって、遊技媒体による衝撃音の発生を抑制できると共に、消音シート具を介して印刷物を透視することができる。さらに、収容部から消音シート具を取外して印刷物の交換によって、印刷物の内容を容易且つ経済的に変更することができる。
　また、前記消音シート具が、前記遊技媒体による衝撃音を抑制する透明な弾性シートを有し、該弾性シートには前記印刷物と接触する表面に、該印刷物の写りこみを抑制する転写抑制部が設けられている場合は、この転写抑制部によって、弾性シートへの印刷物の転写を抑制することができる。
　また、前記転写抑制部がシボ加工部よりなる場合は、印刷物の転写をより確実に抑制できると共に、より安価・簡易な構造とすることができる。
　また、前記転写抑制部が透明なＵＶ硬化層よりなる場合は、印刷物の転写をより確実に抑制できると共に、より安価・簡易な構造とすることができる。
　また、前記弾性シートが軟質樹脂材料よりなる場合は、遊技媒体の衝撃をより確実に抑制できると共に、より安価・簡易な構造とすることができる。
　また、前記軟質樹脂材料には、透明な導電性材料が含有されている場合は、遊技媒体に帯電する静電気をより確実にアースできる。
　また、前記軟質樹脂材料が軟質塩化ビニールである場合は、より安価・簡易な構造とすることができる。
　また、前記弾性シートには、前記収容部に形成されたアース孔に対応して切欠き部が形成されている場合は、遊技媒体に帯電する静電気をより確実にアースできる。
　また、前記消音シート具が、前記印刷物の上面に敷設され且つ前記印刷物の写りこみを抑制する透明な転写抑制シートと、該転写抑制シートの上面に敷設され且つ前記遊技媒体による衝撃音を抑制する透明な弾性シートと、を有する場合は、この転写抑制シートによって、弾性シートへの印刷物の転写を抑制することができる。
　また、前記転写抑制シートが硬質樹脂材料よりなると共に、前記弾性シートが軟質樹脂材料よりなる場合は、遊技媒体の衝撃をより確実に抑制できると共に、転写抑制シートによって、弾性シートへの印刷物の転写をより確実に抑制でき、さらに、より安価・簡易な構造とすることができる。
　また、前記軟質樹脂材料には、透明な導電性材料が含有されている場合は、遊技媒体に帯電する静電気をより確実にアースできる。
　また、前記硬質樹脂材料が硬質塩化ビニールであると共に、前記軟質樹脂材料が軟質塩化ビニールである場合は、より安価・簡易な構造とすることができる。
　また、前記弾性シート及び前記転写抑制シートには、前記収容部に形成されたアース孔に対応して切欠き部が形成されている場合は、遊技媒体に帯電する静電気をより確実にアースできる。
　また、前記収容部が、収容容器により構成される場合は、収容容器に対する遊技媒体による衝撃音を抑制できる。
　また、前記収容部が、遊技機の受け皿により構成される場合は、遊技機の受け皿に対する遊技媒体による衝撃音を抑制できる。
　また、前記遊技媒体が、パチンコ玉及び／又はスロットコインである場合は、これらパチンコ玉やスロットコインによる衝撃音を抑制できる。
　本考案の消音シート具によると、遊技媒体による衝撃音の発生を抑制できると共に、消音シート具を介して印刷物を透視することができる。さらに、転写抑制部によって、弾性シートへの印刷物の転写を抑制することができる。
　また、前記転写抑制部がシボ加工部及び／又は透明なＵＶ硬化層よりなると共に、前記弾性シートが軟質樹脂材料よりなる場合は、印刷物の転写をより確実に抑制できると共に、より安価・簡易な構造とすることができる。
　他の本考案の消音シート具によると、遊技媒体による衝撃音の発生を抑制できると共に、消音シート具を介して印刷物を透視することができる。さらに、転写抑制シートによって、弾性シートへの印刷物の転写を抑制することができる。
　また、前記転写抑制シートが硬質樹脂材料よりなると共に、前記弾性シートが軟質樹脂材料よりなる場合は、印刷物の転写をより確実に抑制できると共に、より安価・簡易な構造とすることができる。
【考案を実施するための最良の形態】
【０００９】
　本考案に係る遊技媒体収納構造は、以下に述べる収容部、シート状の印刷物、及び消音シート具を備え、この消音シート具を介して印刷物を透視し得るように構成されている。
　上記「収容部」は、例えば、遊技媒体を収容する収容容器（玉箱ともいう。）により構成されていたり、遊技機（例えば、パンチン機、スロット機等）の受け皿により構成されていたりすることができる。
　上記「印刷物」は、遊技媒体を収容する収容部の底面に敷設される限り、その内容、印刷形態等は特に問わない。この印刷物の内容としては、例えば、広告、宣伝、遊技方法、遊技店に関する情報等を挙げることができる。また、この印刷物は、例えば、収容部の底面に両面接着剤等により着脱自在に接着されていることができる。
　上記「遊技媒体」としては、例えば、パチンコ玉、スロットコイン等を挙げることができる。
【００１０】
　上記「消音シート具」は、上記印刷物の上面に敷設され且つ遊技媒体による衝撃音を抑制し透明である限り、その構造、形状、材料等は特に問わない。この消音シート具としては、例えば、（１）透明な弾性シートを有し、この弾性シートには印刷物と接触する表面に、その印刷物の写りこみを抑制する転写抑制部が設けられている形態、（２）上記印刷物の上面に敷設され且つ印刷物の写りこみを抑制する透明な転写抑制シートと、この転写抑制シートの上面に敷設され且つ前記遊技媒体による衝撃音を抑制する透明な弾性シートと、を有する形態等を挙げることができる。
【００１１】
　上記（１）形態の消音シート具において、上記弾性シートの材料としては、例えば、プラスチック、ゴム、スポンジ等を挙げることができる。安価・簡易に構成できるといった観点から、この弾性シートが軟質樹脂材料よりなることが好ましい。この軟質樹脂材料としては、例えば、塩化ビニル、ポリエチレン、ポリプロピレン、発泡ポリスチレン、ポリウレタン等を挙げることができる。より安価で取扱い容易であるといった観点から、この軟質樹脂材料が軟質塩化ビニルであることが好ましい。また、この軟質樹脂材料には、例えば、透明な導電性材料が含有されていることができる。また、この弾性シートには、例えば、収容部に形成されたアース孔に対応して切欠き部（小孔等も含む。）が形成されていることができる。また、この弾性シートは、例えば、収容部の底面及び／又は上記印刷物の上面に両面接着剤等により着脱自在に接着されていることができる。
　また、上記転写抑制部は、例えば、弾性シートの両方の表面（表裏面）に設けられていることができる。より安価・簡易に構成できるといった観点から、弾性シートの一方の表面に設けられていることが好ましい。また、この転写抑制部は、例えば、弾性シートの表面の一部に設けられていることができる。より広範囲での印刷物の転写を抑制できるといった観点から、弾性シートの表面の略全域に設けられていることが好ましい。また、この転写抑制部は、例えば、機械加工により形成される凹凸部であったり、加熱により形成される透明な硬化層であったりすることができる。安価・簡易に構成できるといった観点から、この転写抑制部が、シボ加工により形成されるシボ加工部であったり、紫外線照射により形成される透明なＵＶ硬化層（例えば、アクリル層等）であったり、両者の組み合わせ（例えば、ＵＶ硬化層の表面にシボ加工部を形成してなる形態等）であったりすることが好ましい。尚、シボ加工部及びＵＶ硬化層は、その弾性シートを介して印刷物を透視し得る限り、その加工法、形状、程度、厚さ等は特に問わない。
【００１２】
　上記（２）形態の消音シート具において、上記弾性シートは、例えば、上記（１）形態の弾性シートと同じものを用いることができる。また、上記転写抑制シートの材料としては、プラスチック、ガラス等を挙げることができる。より安価・簡易に構成できるといった観点から、この転写抑制シートが硬質樹脂材料よりなることが好ましい。この硬質樹脂材料としては、例えば、塩化ビニル、ポリエチレン、ポリプロピレン、アクリル、ポリスチレン、ポリカーボネート等を挙げることができる。より安価で取扱い容易であるといった観点から、この硬質樹脂材料が硬質塩化ビニルであることが好ましい。また、この硬質樹脂材料には、例えば、透明な導電性材料が含有されていることができる。また、この転写抑制シートには、例えば、収容部に形成されたアース孔に対応して切欠き部（小孔等も含む。）が形成されていることができる。また、この転写抑制シートは、例えば、収容部の底面及び／又は上記印刷物の上面に両面接着剤等により着脱自在に接着されていることができる。また、この転写抑制シートは、例えば、上記弾性シートに両面接着剤等により着脱自在に接着されていることができる。また、この転写抑制シートは、例えば、弾性シートに溶着されていることができる。
【実施例１】
【００１３】
　以下、図面を用いて実施例１により本考案を具体的に説明する。
　本実施例１に係る収容部構造１は、図１及び２に示すように、多数のパチンコ玉（本考案に係る「遊技媒体」として例示する。）を収容可能な収容容器２（本考案に係る「収容部」として例示する。）を備えている。この収容容器２の底面には、一対の対角となる隅部に、パチンコ玉Ｐが脱落せずに入り込み得る大きさのアース孔３が形成されている。また、この収容容器２の底面上には、その底面よりひと回り狭い面域のシート状の印刷物４が敷設されている。この印刷物４には、広告、宣伝、遊技方法、遊技店、遊技メーカ等に関する情報が印刷されている。また、この印刷物４の上面には、消音シート具５が敷設されている。
【００１４】
　この消音シート具５は、収容容器２の底面と略同じ面域を有する弾性シート６を有している。この弾性シート６は、透明な導電性材料を練り込んでなる透明な軟質塩化ビニールにより形成される。また、この弾性シート６には、上記アース孔３と対応する位置に、パチンコ玉Ｐが入り込み得る大きさの小孔６ａ（本考案に係る「切欠き部」として例示する。）が形成されている。図３に示すように、この弾性シート６には、印刷物４と接触する一方の表面の全域に、シボ加工により形成されるシボ加工部８（本考案に係る「転写抑制部」として例示する。）が設けられている。尚、本実施例では、シボ加工部８は射出成形によって金型から転写されたものとする。
　尚、上記実施例では、弾性シート６にシボ加工部８を設けるようにしたが、これに限定されず、例えば、図４に示すように、弾性シート６には、印刷物４と接触する一方の表面の全域に、紫外線照射により形成される透明なＵＶ硬化層９（本考案に係る「転写抑制部」として例示する。）を設けることができる。この比較的硬質なＵＶ硬化層９には、印刷物の写りこみが抑制される。さらに、このＵＶ硬化層９の表面に上記シボ加工部８を形成して転写抑制部を構成するようにしてもよい。
【００１５】
　以上より、本実施例１では、パチンコ玉を収容する収容容器２の底面上にシート状の印刷物４を敷設すると共に、この印刷物４の上面に消音シート具５を敷設し、この消音シート具５を、透明な軟質塩化ビニール製の弾性シート６を有して構成したので、この弾性シート６によって、収容容器２に対するパチンコ玉の落下による衝撃音を抑制できると共に、この透明な弾性シート６を介して、印刷物４の内容を透視することができる。また、収容容器２から消音シート具５、即ち弾性シート６を取り出して、印刷物４を新しいものに交換すれば、印刷物の内容を容易に変更することができる。
　また、本実施例１では、弾性シート６の表面にシボ加工部８を設けたので、このシボ加工部８の凹凸によって、印刷物４と弾性シート６の接触面積を低減でき、弾性シート６の表面に印刷物４が写りこむことを抑制することができる。
　また、本実施例１では、弾性シート６を、透明な導電性材料を練り込んでなる軟質塩化ビニールより形成すると共に、この弾性シート６に、収容容器２に形成されたアース孔３に対応して小孔６ａを形成したので、収容容器２に収容される多数のパチンコ玉に帯電した静電気を、小孔６ａ及びアース孔３に入り込むパチンコ玉Ｐを介して外部にアースすることができる。
【実施例２】
【００１６】
　以下、図面を用いて実施例２により本考案を具体的に説明する。尚、本実施例２において、上記実施例１と同じ構成部位には同じ符号を付けて詳細な説明は省略する。
　本実施例２に係る収容部構造１１は、図５に示すように、収容容器２を備え、この収容容器２の底面上には、シート状の印刷物４が敷設されている。この印刷物４の上面には、消音シート具１２が敷設されている。
【００１７】
　この消音シート具１２は、図６に示すように、上記印刷物４の上面に敷設される転写抑制シート１３と、この転写抑制シート１３の上面に敷設され且つこの転写抑制シート１３とは別体の弾性シート１４とを有している。また、転写抑制シート１３は、透明な硬質塩化ビニールにより形成される。また、弾性シート１４は、透明な導電性材料を練り込んでなる透明な軟質塩化ビニールにより形成される。これらの転写抑制シート１３及び弾性シート１４は、収容容器２の底面と略同じ面域を有し、収容容器２のアース孔３と対応する位置に、パチンコ玉Ｐが入り込み得る大きさの小孔１３ａ，１４ａ（本考案に係る「切欠き部」として例示する。）が形成されている（図５参照）。
【００１８】
　以上より、本実施例２では、パチンコ玉を収容する収容容器２の底面上にシート状の印刷物４を敷設すると共に、この印刷物４の上面に消音シート具１２を敷設し、この消音シート具１２を、透明な硬質塩化ビニール製の転写抑制シート１３と、透明な軟質塩化ビニール製の弾性シート１４と、を有して構成したので、弾性シート１４によって、収容容器２に対するパチンコ玉の落下による衝撃音を抑制できると共に、透明な弾性シート１４及び転写抑制シート１３を介して、印刷物４の内容を透視することができる。また、収容容器２から消音シート具１２、即ち弾性シート１４及び転写抑制シート１３を取り出して、印刷物４を交換すれば、印刷物の内容を容易に変更することができる。
　また、本実施例２では、転写抑制シート１３を硬質塩化ビニールにより形成したので、この比較的硬質な転写抑制シート１３の表面への印刷物４の写りこみが抑制される。
　また、本実施例２では、弾性シート１４を、透明な導電性材料を練り込んでなる軟質塩化ビニールより形成すると共に、この転写抑制シート１３及び弾性シート１４に、収容容器２に形成されたアース孔３に対応して小孔１３ａ，１４ａを形成したので、収容容器２に収容される多数のパチンコ玉に帯電した静電気を、小孔１３ａ，１４ａ及びアース孔３に入り込むパチンコ玉Ｐを介して外部にアースすることができる。
【００１９】
　尚、本考案においては、前記実施例に限られず、目的、用途に応じて本考案の範囲内で種々変更した実施例とすることができる。即ち、本実施例１，２では、パチンコ玉を収容する収容容器２を例示したが、これに限定されず、例えば、スロットコインを収容する収納容器としてもよい。また、本実施例の消音シート具５，１２を、パチンコ機やスロット機の機表側に配設される上皿、下皿等の受け皿や機裏側に配設されるタンク部材に設けることができる。また、本実施例２では、消音シート具１２を、転写抑制シート１３と弾性シート１４とを別部材として構成したが、これに限定されず、両シート１３，１４を、高周波溶着、両面接着剤等により一体物としてもよい。
【産業上の利用可能性】
【００２０】
　収容容器（玉箱）、遊技機の受け皿等のパチンコ玉やスロットコイン等を収容する収容部構造の用途として適用できる。
【図面の簡単な説明】
【００２１】
【図１】本実施例１に係る収容容器の平面図である。
【図２】図１のＩＩ−ＩＩ線断面図である。
【図３】図２の要部拡大図である。
【図４】消音シート具の他の形態を説明するための要部拡大図である。
【図５】本実施例２に係る収容容器の縦断面図である。
【図６】図５の要部拡大図である。
【符号の説明】
【００２２】
１，１１；収納部構造、２；収容容器、３；アース孔、４；印刷物、５，１２；消音シート具、６；弾性シート、６ａ；小孔、８；シボ加工部、９；ＵＶ硬化層、１３；転写抑制シート、１４；弾性シート、１３ａ，１４ａ；小孔。
【図１】
0003099328.tif 000003
【図２】
0003099328.tif 000004
【図３】
0003099328.tif 000005
【図４】
0003099328.tif 000006
【図５】
0003099328.tif 000007
【図６】
0003099328.tif 000008